【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
識別情報を変動表示可能な可変表示部を有する可変表示装置と、
遊技者からの停止操作を受け付ける停止操作部と、
前記可変表示装置にて識別情報を変動表示させ、前記停止操作部からの入力により前記識別情報を停止表示させる変動表示ゲームを行う遊技制御手段と、
前記変動表示ゲームを開始する際に、前記可変表示部において複数種の入賞のうち何れかの入賞に対応する停止表示態様を形成可能とするか否かの抽選を行う内部抽選手段と、
前記内部抽選手段により何れかの入賞に当選したことを遊技者に報知する報知手段と、を備えた遊技機において、
前記遊技制御手段は、
所定条件の成立に基づいて通常遊技よりも遊技者に有利な特定遊技を開始すると共に、前記内部抽選手段により特定入賞に当選し、前記可変表示部において予め定められた終了態様が形成された場合に前記特定遊技を終了させる特定遊技制御手段と、
前記内部抽選手段により前記特定入賞に当選し、前記停止操作部による入力態様が所定の第１入力態様であった場合には、前記可変表示部に終了態様が形成されるように前記識別情報を停止表示させ、前記停止操作部による入力態様が前記第１入力態様とは異なる第２入力態様であった場合には、前記可変表示部に終了態様以外の表示態様が形成されるように前記識別情報を停止表示させる制御を行う停止操作態様制御手段と、を備え、
前記内部抽選手段は、現在の遊技が通常遊技であるか特定遊技であるかに拘らず、同一の確率で前記特定入賞の抽選を行い、
前記報知手段は、現在の遊技が特定遊技である場合には、通常遊技である場合よりも高い頻度で前記特定入賞に当選したことを報知することを特徴とする遊技機。
【請求項２】
遊技者からの変動表示ゲームの開始操作を受け付ける変動表示開始操作部を備え、
前記可変表示装置は複数個の可変表示部で構成されるとともに、前記複数個の可変表示部に対応して前記停止操作部が個別に設けられ、
前記変動表示ゲームは、前記変動表示開始操作部からの入力により開始された後に、前記各停止操作部からの順次入力によって対応する可変表示部の識別情報を順に停止表示させ、全ての可変表示部の識別情報が停止表示されることにより実行されるものであって、
前記遊技制御手段は、
前記報知手段によって遊技者に内部抽選の結果を報知する報知時期を、前記変動表示開始操作部の操作時期、又は前記各停止操作部の操作時期の中から選択する報知時期選択手段と、
前記変動表示ゲームの進行状態を監視して、前記報知時期選択手段により選択された報知時期に達した場合に、前記報知手段によって遊技者に報知を行う報知制御実行手段と、を備え、
前記報知時期選択手段は、現在の遊技が特定遊技である場合には、通常遊技である場合に比較して、前記変動表示開始操作部の操作時期を報知時期として選択する確率を高くすることを特徴とする請求項１に記載の遊技機。
【請求項３】
前記遊技制御手段は、前記内部抽選手段により前記特定入賞に当選した場合に、前記第２入力態様を予め定めたものの中からランダムに選択する第２入力態様選択手段と、
現在の遊技が特定遊技である場合には、前記第２入力態様選択手段により選択された第２入力態様の情報を、前記報知手段による報知内容に付加する入力態様情報付加手段と、を備え、
前記入力態様情報付加手段は、特定遊技中における遊技結果に対応して、第２入力態様の情報を報知内容に付加する確率を変化させることを特徴とする請求項１又は２に記載の遊技機。
【請求項４】
前記遊技制御手段は、前記内部抽選手段により特別入賞に当選し、停止操作部からの入力により停止表示された識別情報が前記特別入賞に対応する特別態様を形成した場合に、遊技者に特典を付与する特別遊技状態を発生させる特別遊技状態制御手段を備え、
前記入力態様情報付加手段は、前記内部抽選手段により前記特別入賞に当選し該特別入賞を獲得可能となった後の変動表示ゲームにおいて、前記内部抽選手段により前記特定入賞に当選したことに基づき、前記第２入力態様選択手段により選択された前記第２入力態様の情報と内容が一致しない情報を、前記報知手段による報知内容に付加することを特徴とする請求項３に記載の遊技機。
【請求項５】
前記可変表示部における停止表示態様に対応して、遊技者に異なる賞価値を付与する賞価値付与手段を備え、
前記賞価値付与手段は、
前記内部抽選手段により前記特定入賞に当選した場合、前記第１入力態様に基づいて終了態様が形成された場合に、前記第２入力態様に基づいて終了態様以外の表示態様が形成された場合よりも、大きな賞価値を付与することを特徴とする請求項１から４の何れかに記載の遊技機。
【手続補正２】
【補正対象書類名】明細書
【補正対象項目名】００１１
【補正方法】変更
【補正の内容】
【００１１】
請求項１に係る発明は、識別情報を変動表示可能な可変表示部（リール）を有する可変表示装置と、遊技者からの停止操作を受け付ける停止操作部（停止スイッチ）と、前記可変表示装置にて識別情報を変動表示させ、前記停止操作部からの入力により前記識別情報を停止表示させる変動表示ゲームを行う遊技制御手段と、前記変動表示ゲームを開始する際に、前記可変表示部において複数種の入賞のうち何れかの入賞に対応する停止表示態様を形成可能とするか否かの抽選を行う内部抽選手段と、前記内部抽選手段により何れかの入賞に当選したことを遊技者に報知する報知手段と、を備えた遊技機において、前記遊技制御手段は、所定条件の成立（ＢＢ終了後の抽選等）に基づいて通常遊技よりも遊技者に有利な特定遊技を開始するとともに、前記内部抽選手段により特定入賞（おしまい入賞）に当選し、前記可変表示部において予め定められた終了態様（おしまい・おしまい・おしまい）が形成された場合に前記特定遊技を終了させる特定遊技制御手段と、前記内部抽選手段により前記特定入賞に当選し、前記停止操作部による入力態様が所定の第１入力態様であった場合には、前記可変表示部に終了態様が形成されるように前記識別情報を停止表示させ、前記停止操作部による入力態様が前記第１入力態様とは異なる第２入力態様であった場合には、前記可変表示部に終了態様以外の表示態様が形成されるように前記識別情報を停止表示させる制御を行う停止操作態様制御手段と、を備え、前記内部抽選手段は、現在の遊技が通常遊技であるか特定遊技であるかに拘らず、同一の確率で前記特定入賞の抽選を行い、前記報知手段は、現在の遊技が特定遊技である場合には、通常遊技である場合よりも高い頻度で前記特定入賞に当選したことを報知するようにしたものである。
【手続補正３】
【補正対象書類名】明細書
【補正対象項目名】００１７
【補正方法】変更
【補正の内容】
【００１７】
請求項４に係る発明は、前記遊技制御手段は、前記内部抽選手段により特別入賞に当選し、停止操作部からの入力により停止表示された識別情報が前記特別入賞に対応する特別態様を形成した場合に、遊技者に特典を付与する特別遊技状態を発生させる特別遊技制御手段を備え、前記入力態様情報付加手段は、前記内部抽選手段により前記特別入賞に当選し該特別入賞を獲得可能となった後の変動表示ゲーム（特別入賞のフラグが成立した状態（フラグ成立ゲームを除く））において、前記内部抽選手段により前記特定入賞に当選したことに基づき、前記第２入力態様選択手段により選択された前記第２入力態様の情報と内容が一致しない情報を、前記報知手段による報知内容に付加するようにしたものである。
【手続補正４】
【補正対象書類名】明細書
【補正対象項目名】００１８
【補正方法】変更
【補正の内容】
【００１８】
請求項５に係る発明は、前記可変表示部における停止表示態様に対応して、遊技者に異なる賞価値を付与する賞価値付与手段を備え、前記賞価値付与手段は、前記内部抽選手段により前記特定入賞に当選した場合、前記第１入力態様に基づいて終了態様が形成された場合に、前記第２入力態様に基づいて終了態様以外の表示態様が形成された場合よりも、大きな賞価値を付与するようにしたものである。
【手続補正５】
【補正対象書類名】明細書
【補正対象項目名】００７２
【補正方法】変更
【補正の内容】
【００７２】
つまり、内部抽選手段によりおしまい入賞に当選し、リール停止ボタンによる入力態様が第１入力態様であった場合には「おしまい，おしまい，おしまい」が形成されるように停止制御を行い、リール停止ボタンによる入力態様が第２入力態様であった場合には「白７，おしまい，おしまい」又は「ＢＡＲ，おしまい，おしまい」が形成されるように停止制御を行う（停止操作態様制御手段）。
【手続補正６】
【補正対象書類名】明細書
【補正対象項目名】０１０２
【補正方法】変更
【補正の内容】
【０１０２】
次に、ステップＳ１４２で、おしまい入賞フラグが成立しているか否か判定し、成立している場合はステップＳ１４３で特殊制御フラグを設定し、成立していない場合はステップＳ１４８で特殊制御フラグをクリアする。ここで、特殊制御フラグとは、リール停止ボタン７ａ，７ｂ，７ｃの押し順や停止操作タイミング（入力態様）に基づいて、おしまい入賞の停止表示態様を決定するためのフラグであり、この特殊制御フラグが成立している場合は特殊なリール停止制御が行われる（停止操作態様制御手段）。つまり、図３に示す図柄配列上は、最大４コマの引込制御により必ず「おしまい，おしまい，おしまい」を有効ライン上に停止表示させることが可能であるが、前記特殊制御フラグを設定することで特殊なリール停止制御を行い「白７，おしまい，おしまい」又は「ＢＡＲ，おしまい，おしまい」を停止表示可能としたり、単に「おしまい，おしまい，おしまい」を停止表示不能（おしまい入賞の停止表示態様は何れも形成されない）としたりする。